(57)【要約】【課題】所望の被写体に合焦させるためにフォーカスレンズのレンズ位置をどのように調節すればよいかを容易に把握できることが望まれている。【解決手段】表示制御装置は、撮像装置が備えるフォーカスレンズのレンズ位置を特定する第１特定部を備えてよい。表示制御装置は、撮像装置により撮像される被写体の被写体位置を特定する第２特定部を備えてよい。表示制御装置は、レンズ位置を示す第１オブジェクトと、被写体位置を示す第２オブジェクトとを、レンズ位置と被写体位置との関係に対応する位置関係で表示部に表示させる表示制御部を備えてよい。【選択図】図８
2019168555.tif 000002
【特許請求の範囲】
【請求項１】
撮像装置が備えるフォーカスレンズのレンズ位置を特定する第１特定部と、
前記撮像装置により撮像される被写体の被写体位置を特定する第２特定部と、
前記レンズ位置を示す第１オブジェクトと、前記被写体位置を示す第２オブジェクトとを、前記レンズ位置と前記被写体位置との関係に対応する位置関係で表示部に表示させる表示制御部と
を備える表示制御装置。
【請求項２】
前記表示制御部は、前記レンズ位置が変化することに応じて前記第２オブジェクトに対して前記第１オブジェクトが第１の方向に沿って移動するように、前記第１オブジェクト及び前記第２オブジェクトを前記表示部に表示させる、請求項１に記載の表示制御装置。
【請求項３】
前記第２特定部は、前記被写体の被写体位置の範囲を特定し、
前記表示制御部は、前記第２オブジェクトの前記第１方向の幅を前記被写体位置の範囲に対応する幅で、前記表示部に表示させる、請求項２に記載の表示制御装置。
【請求項４】
前記第２特定部は、前記レンズ位置が変化することに応じて前記被写体の被写体位置の範囲を特定する、請求項３に記載の表示制御装置。
【請求項５】
前記被写体位置の信頼度を特定する第３特定部をさらに備え、
前記表示制御部は、前記第２オブジェクトの第２方向の幅を前記信頼度に応じた幅で前記表示部に表示させる、請求項３に記載の表示制御装置。
【請求項６】
前記被写体位置の信頼度を特定する第３特定部をさらに備え、
前記表示制御部は、前記第１オブジェクトまたは前記第２オブジェクトを前記信頼度に応じた大きさで前記表示部に表示させる、請求項１に記載の表示制御装置。
【請求項７】
前記第３特定部は、前記レンズ位置が変化することに応じて前記被写体位置の信頼度を特定する、請求項５または６に記載の表示制御装置。
【請求項８】
前記第３特定部は、前記撮像装置により撮像された画像内の前記被写体のぼけ量に基づいて、前記被写体位置の信頼度を特定する、請求項５または６に記載の表示制御装置。
【請求項９】
前記表示制御部は、前記レンズ位置と、前記被写体位置に合焦させる前記フォーカスレンズのレンズ位置との差に対応する間隔で、前記第１オブジェクト及び前記第２オブジェクトを前記表示部に表示させる、請求項１に記載の表示制御装置。
【請求項１０】
前記表示制御部は、前記差が変化することに応じて、前記第２オブジェクトに対して前記第１オブジェクトが移動するように、前記第１オブジェクト及び前記第２オブジェクトを前記表示部に表示させる、請求項９に記載の表示制御装置。
【請求項１１】
前記第２特定部は、
前記撮像装置の撮像面と前記フォーカスレンズとが第１位置関係にある状態で撮像された第１撮像画像に含まれる第１画像と、前記撮像面と前記フォーカスレンズとが第２位置関係にある状態で撮像された第２撮像画像に含まれる第２画像とを取得する取得部と、
前記第１画像及び前記第２画像のそれぞれのぼけ量を算出する算出部と、
前記第１画像及び前記第２画像のそれぞれのぼけ量に基づいて、前記被写体位置を予測する予測部と
を有する、請求項１に記載の表示制御装置。
【請求項１２】
前記第２特定部は、前記撮像装置により撮像される複数の前記被写体の複数の前記被写体位置をさらに特定し、
前記表示制御部は、前記複数の被写体位置を示す複数の前記第２オブジェクトを、前記レンズ位置と前記複数の被写体位置との関係に対応する位置関係で前記表示部にさらに表示させる、請求項１に記載の表示制御装置。
【請求項１３】
請求項１から１０の何れか１つに記載の表示制御装置と、
前記フォーカスレンズと、
前記フォーカスレンズを介して結像する光学像を電気信号に変換するイメージセンサと、
前記表示部と、
を備える撮像装置。
【請求項１４】
撮像装置が備えるフォーカスレンズのレンズ位置を特定する段階と、
前記撮像装置により撮像される被写体の被写体位置を特定する段階と、
前記レンズ位置を示す第１オブジェクトと、前記被写体位置を示す第２オブジェクトとを、前記レンズ位置と前記被写体位置との関係に対応する位置関係で表示部に表示させる段階と
を備える表示制御方法。
【請求項１５】
請求項１から１２の何れか１つに記載の表示制御装置としてコンピュータを機能させるためのプログラム。
【発明の詳細な説明】
【技術分野】
【０００１】
本発明は、表示制御装置、撮像装置、表示制御方法、及びプログラムに関する。
【背景技術】
【０００２】
特許文献１には、フォーカスレンズの移動に伴う合焦調節状態の変化の度合いを表示するフォーカスアシスト装置が開示されている。
特許文献１  特開２００７−２５６４６４号公報
【発明の概要】
【発明が解決しようとする課題】
【０００３】
所望の被写体に合焦させるためにフォーカスレンズのレンズ位置をどのように調節すればよいかを容易に把握できることが望まれている。
【課題を解決するための手段】
【０００４】
本発明の一態様に係る表示制御装置は、撮像装置が備えるフォーカスレンズのレンズ位置を特定する第１特定部を備えてよい。表示制御装置は、撮像装置により撮像される被写体の被写体位置を特定する第２特定部を備えてよい。表示制御装置は、レンズ位置を示す第１オブジェクトと、被写体位置を示す第２オブジェクトとを、レンズ位置と被写体位置との関係に対応する位置関係で表示部に表示させる表示制御部を備えてよい。
【０００５】
表示制御部は、レンズ位置が変化することに応じて第２オブジェクトに対して第１オブジェクトが第１の方向に沿って移動するように、第１オブジェクト及び第２オブジェクトを表示部に表示させてよい。
【０００６】
第２特定部は、被写体の被写体位置の範囲を特定してよい。表示制御部は、第２オブジェクトの第１方向の幅を被写体位置の範囲に対応する幅で、表示部に表示させてよい。
【０００７】
第２特定部は、レンズ位置が変化することに応じて被写体の被写体位置の範囲を特定してよい。
【０００８】
表示制御装置は、被写体位置の信頼度を特定する第３特定部を備えてよい。表示制御部は、第２オブジェクトの第２方向の幅を信頼度に応じた幅で表示部に表示させてよい。
【０００９】
表示制御装置は、被写体位置の信頼度を特定する第３特定部を備えてよい。表示制御部は、第１オブジェクトまたは第２オブジェクトを信頼度に応じた大きさで表示部に表示させてよい。
【００１０】
第３特定部は、レンズ位置が変化することに応じて被写体位置の信頼度を特定してよい。
【００１１】
第３特定部は、撮像装置により撮像された画像内の被写体のぼけ量に基づいて、被写体位置の信頼度を特定してよい。
【００１２】
表示制御部は、レンズ位置と、被写体位置に合焦させるフォーカスレンズのレンズ位置との差に対応する間隔で、第１オブジェクト及び第２オブジェクトを表示部に表示させてよい。
【００１３】
表示制御部は、差が変化することに応じて、第２オブジェクトに対して第１オブジェクトが移動するように、第１オブジェクト及び第２オブジェクトを表示部に表示させてよい。
【００１４】
第２特定部は、撮像装置の撮像面とフォーカスレンズとが第１位置関係にある状態で撮像された第１撮像画像に含まれる第１画像と、撮像面とフォーカスレンズとが第２位置関係にある状態で撮像された第２撮像画像に含まれる第２画像とを取得する取得部を有してよい。第２特定部は、第１画像及び第２画像のそれぞれのぼけ量を算出する算出部を有してよい。第２特定部は、第１画像及び第２画像のそれぞれのぼけ量に基づいて、被写体位置を予測する予測部を有してよい。
【００１５】
第２特定部は、撮像装置により撮像される複数の被写体の複数の被写体位置を特定してよい。表示制御部は、複数の被写体位置を示す複数の第２オブジェクトを、レンズ位置と複数の被写体位置との関係に対応する位置関係で表示部にさらに表示させてよい。
【００１６】
本発明の一態様に係る撮像装置は、上記表示制御装置を備えてよい。撮像装置は、フォーカスレンズを備えてよい。撮像装置は、フォーカスレンズを介して結像する光学像を電気信号に変換するイメージセンサを備えてよい。撮像装置は、表示部を備えてよい。
【００１７】
本発明の一態様に係る表示制御方法は、撮像装置が備えるフォーカスレンズのレンズ位置を特定する段階を備えてよい。表示制御方法は、撮像装置により撮像される被写体の被写体位置を特定する段階を備えてよい。表示制御方法は、レンズ位置を示す第１オブジェクトと、被写体位置を示す第２オブジェクトとを、レンズ位置と被写体位置との関係に対応する位置関係で表示部に表示させる段階を備えてよい。
【００１８】
本発明の一態様に係るプログラムは、上記表示制御装置としてコンピュータを機能させるためのプログラムでよい。
【００１９】
本発明の一態様によれば、所望の被写体に合焦させるためにフォーカスレンズのレンズ位置をどのように調節すればよいかを容易に把握できる。
【００２０】
なお、上記の発明の概要は、本発明の必要な特徴の全てを列挙したものではない。また、これらの特徴群のサブコンビネーションもまた、発明となりうる。
【図面の簡単な説明】
【００２１】
【図１】撮像装置の機能ブロックの一例を示す図である。
【図２】ぼけ量とレンズ位置との関係を示す曲線の一例を示す図である。
【図３】ぼけ量に基づいてオブジェクトまでの距離を算出する手順の一例を示す図である。
【図４】オブジェクトの位置、レンズの位置、及び焦点距離との関係について説明するための図である。
【図５】第１オブジェクト及び第２オブジェクトの表示例を示す図である。
【図６】第１オブジェクト及び第２オブジェクトの表示例を示す図である。
【図７】被写体位置の信頼度について説明するための図である。
【図８】第１オブジェクト及び第２オブジェクトの表示例を示す図である。
【図９】第１オブジェクト及び第２オブジェクトの表示例を示す図である。
【図１０】第１オブジェクト及び第２オブジェクトの表示例を示す図である。
【図１１Ａ】第１オブジェクト及び第２オブジェクトの表示例を示す図である。
【図１１Ｂ】第１オブジェクト及び第２オブジェクトの表示例を示す図である。
【図１１Ｃ】第１オブジェクト及び第２オブジェクトの表示例を示す図である。
【図１２Ａ】第１オブジェクト及び第２オブジェクトの表示例を示す図である。
【図１２Ｂ】第１オブジェクト及び第２オブジェクトの表示例を示す図である。
【図１２Ｃ】第１オブジェクト及び第２オブジェクトの表示例を示す図である。
【図１３】撮像装置の外観斜視図の一例を示す図である。
【図１４】撮像装置の背面図の一例を示す図である。
【図１５】撮像装置のファインダに表示される表示バーの一例を示す図である。
【図１６】スマートフォンの表示部に表示される表示バーの一例を示す図である。
【図１７】ハードウェア構成の一例を示す図である。
【発明を実施するための形態】
【００２２】
以下、発明の実施の形態を通じて本発明を説明するが、以下の実施の形態は特許請求の範囲に係る発明を限定するものではない。また、実施の形態の中で説明されている特徴の組み合わせの全てが発明の解決手段に必須であるとは限らない。以下の実施の形態に、多様な変更または改良を加えることが可能であることが当業者に明らかである。その様な変更または改良を加えた形態も本発明の技術的範囲に含まれ得ることが、特許請求の範囲の記載から明らかである。
【００２３】
特許請求の範囲、明細書、図面、及び要約書には、著作権による保護の対象となる事項が含まれる。著作権者は、これらの書類の何人による複製に対しても、特許庁のファイルまたはレコードに表示される通りであれば異議を唱えない。ただし、それ以外の場合、一切の著作権を留保する。
【００２４】
本発明の様々な実施形態は、フローチャート及びブロック図を参照して記載されてよく、ここにおいてブロックは、（１）操作が実行されるプロセスの段階または（２）操作を実行する役割を持つ装置の「部」を表わしてよい。特定の段階及び「部」が、プログラマブル回路、及び／またはプロセッサによって実装されてよい。専用回路は、デジタル及び／またはアナログハードウェア回路を含んでよい。集積回路（ＩＣ）及び／またはディスクリート回路を含んでよい。プログラマブル回路は、再構成可能なハードウェア回路を含んでよい。再構成可能なハードウェア回路は、論理ＡＮＤ、論理ＯＲ、論理ＸＯＲ、論理ＮＡＮＤ、論理ＮＯＲ、及び他の論理操作、フリップフロップ、レジスタ、フィールドプログラマブルゲートアレイ（ＦＰＧＡ）、プログラマブルロジックアレイ（ＰＬＡ）等のようなメモリ要素等を含んでよい。
【００２５】
コンピュータ可読媒体は、適切なデバイスによって実行される命令を格納可能な任意の有形なデバイスを含んでよい。その結果、そこに格納される命令を有するコンピュータ可読媒体は、フローチャートまたはブロック図で指定された操作を実行するための手段を作成すべく実行され得る命令を含む、製品を備えることになる。コンピュータ可読媒体の例としては、電子記憶媒体、磁気記憶媒体、光記憶媒体、電磁記憶媒体、半導体記憶媒体等が含まれてよい。コンピュータ可読媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭまたはフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ-ＲＯＭ）、デジタル多用途ディスク（ＤＶＤ）、ブルーレイ（ＲＴＭ）ディスク、メモリスティック、集積回路カード等が含まれてよい。
【００２６】
コンピュータ可読命令は、１または複数のプログラミング言語の任意の組み合わせで記述されたソースコードまたはオブジェクトコードの何れかを含んでよい。ソースコードまたはオブジェクトコードは、従来の手続型プログラミング言語を含む。従来の手続型プログラミング言語は、アセンブラ命令、命令セットアーキテクチャ（ＩＳＡ）命令、マシン命令、マシン依存命令、マイクロコード、ファームウェア命令、状態設定データ、またはＳｍａｌｌｔａｌｋ、ＪＡＶＡ（登録商標）、Ｃ＋＋等のようなオブジェクト指向プログラミング言語、及び「Ｃ」プログラミング言語または同様のプログラミング言語でよい。コンピュータ可読命令は、汎用コンピュータ、特殊目的のコンピュータ、若しくは他のプログラム可能なデータ処理装置のプロセッサまたはプログラマブル回路に対し、ローカルにまたはローカルエリアネットワーク（ＬＡＮ）、インターネット等のようなワイドエリアネットワーク（ＷＡＮ）を介して提供されてよい。プロセッサまたはプログラマブル回路は、フローチャートまたはブロック図で指定された操作を実行するための手段を作成すべく、コンピュータ可読命令を実行してよい。プロセッサの例としては、コンピュータプロセッサ、処理ユニット、マイクロプロセッサ、デジタル信号プロセッサ、コントローラ、マイクロコントローラ等を含む。
【００２７】
図１は、本実施形態に係る撮像装置１００の機能ブロックの一例を示す。撮像装置１００は、撮像部１０２及びレンズ部２００を備える。撮像部１０２は、イメージセンサ１２０、撮像制御部１１０、メモリ１７０、表示部１６０、及び操作部１６２を有する。イメージセンサ１２０は、ＣＣＤまたはＣＭＯＳにより構成されてよい。イメージセンサ１２０は、複数のレンズ２１０を介して結像する光学像を電気信号に変換する。イメージセンサ１２０は、複数のレンズ２１０を介して結像された光学像の画像データを撮像制御部１１０に出力する。撮像制御部１１０は、ＣＰＵまたはＭＰＵなどのマイクロプロセッサ、ＭＣＵなどのマイクロコントローラなどにより構成されてよい。撮像制御部１１０は、操作部１６２からの動作命令に応じて、撮像装置１００を制御してよい。メモリ１７０は、コンピュータ可読可能な記録媒体でよく、ＳＲＡＭ、ＤＲＡＭ、ＥＰＲＯＭ、ＥＥＰＲＯＭ、及びＵＳＢメモリなどのフラッシュメモリの少なくとも１つを含んでよい。メモリ１７０は、撮像制御部１１０がイメージセンサ１２０などを制御するのに必要なプログラム等を格納する。メモリ１７０は、撮像装置１００の筐体の内部に設けられてよい。メモリ１７０は、撮像装置１００の筐体から取り外し可能に設けられてよい。表示部１６０は、イメージセンサ１２０から出力された画像データを表示してよい。表示部１６０は、撮像装置１００の各種の設定情報を表示してよい。表示部１６０は、液晶ディスプレイ、タッチパネルディスプレイなどでよい。表示部１６０は、複数の液晶ディスプレイ、またはタッチパネルディスプレイを含んでよい。
【００２８】
レンズ部２００は、複数のレンズ２１０、レンズ移動機構２１２、及びレンズ制御部２２０を有する。複数のレンズ２１０は、ズームレンズ、バリフォーカルレンズ、及びフォーカスレンズとして機能してよい。複数のレンズ２１０の少なくとも一部または全部は、光軸に沿って移動可能に配置される。レンズ部２００は、撮像部１０２に対して着脱可能に設けられる交換レンズでよい。レンズ移動機構２１２は、複数のレンズ２１０の少なくとも一部または全部を光軸に沿って移動させる。レンズ制御部２２０は、撮像部１０２からのレンズ制御命令に従って、レンズ移動機構２１２を駆動して、１または複数のレンズ２１０を光軸方向に沿って移動させる。レンズ制御命令は、例えば、ズーム制御命令、及びフォーカス制御命令である。
【００２９】
このように構成された撮像装置１００は、オートフォーカス処理（ＡＦ処理）を実行して、所望の被写体を撮像する。
【００３０】
撮像装置１００は、ＡＦ処理を実行するために、レンズから被写体までの距離（被写体距離）を決定する。被写体距離を決定するための方式として、レンズと撮像面との位置関係が異なる状態で撮像された複数の画像のぼけ量に基づいて決定する方式がある。ここで、この方式を、ぼけ検出オートフォーカス（Ｂｏｋｅｈ  Ｄｅｔｅｃｔｉｏｎ  Ａｕｔｏ  Ｆｏｕｃｕｓ：ＢＤＡＦ）方式と称する。
【００３１】
例えば、画像のぼけ量（Ｃｏｓｔ）は、ガウシアン関数を用いて次式（１）で表すことができる。式（１）において、ｘは、水平方向における画素位置を示す。σは、標準偏差値を示す。
【数１】
2019168555.tif 000003
【００３２】
図２は、式（１）に表される曲線の一例を示す。曲線５００の極小点５０２に対応するレンズ位置にフォーカスレンズを合わせることで、画像Ｉに含まれるオブジェクトに焦点を合わせることができる。
【００３３】
図３は、ＢＤＡＦ方式の距離算出手順の一例を示すフローチャートである。まず、撮像装置１００で、レンズと撮像面とが第１位置関係にある状態で、１枚目の画像Ｉ１を撮像してメモリ１７０に格納する。次いで、フォーカスレンズまたはイメージセンサ１２０の撮像面を光軸方向に移動させることで、レンズと撮像面とが第２位置関係にある状態にして、撮像装置１００で２枚目の画像Ｉ２を撮像してメモリ１７０に格納する（Ｓ１０１）。例えば、いわゆる山登りＡＦのように、合焦点を超えないようにフォーカスレンズまたはイメージセンサ１２０の撮像面を光軸方向に移動させる。フォーカスレンズまたはイメージセンサ１２０の撮像面の移動量は、例えば、１０μｍでよい。
【００３４】
次いで、撮像装置１００は、画像Ｉ１を複数の領域に分割する（Ｓ１０２）。画像Ｉ２内の画素ごとに特徴量を算出して、類似する特徴量を有する画素群を一つの領域として画像Ｉ１を複数の領域に分割してよい。画像Ｉ１のうちＡＦ処理枠に設定されている範囲の画素群を複数の領域に分割してもよい。撮像装置１００は、画像Ｉ１の複数の領域に対応する複数の領域に画像Ｉ２を分割する。撮像装置１００は、画像Ｉ１の複数の領域のそれぞれのぼけ量と、画像Ｉ２の複数の領域のそれぞれのぼけ量とに基づいて、複数の領域ごとに複数の領域のそれぞれに含まれるオブジェクトまでの距離を算出する（Ｓ１０３）。
【００３５】
図４を参照して距離の算出手順についてさらに説明する。レンズＬ（主点）から被写体５１０（物面）までの距離をＡ、レンズＬ（主点）から被写体５１０が撮像面で結像する位置（像面）までの距離をＢ、焦点距離をＦとする。この場合、距離Ａ、距離Ｂ、及び焦点距離Ｆの関係は、レンズの公式から次式（２）で表すことができる。
【数２】
2019168555.tif 000004
【００３６】
焦点距離Ｆはレンズ位置で特定される。したがって、被写体５１０が撮像面で結像する距離Ｂが特定できれば、式（２）を用いて、レンズＬから被写体５１０までの距離Ａを特定することができる。
【００３７】
図５に示すように、撮像面上に投影された被写体５１０のぼけの大きさ（錯乱円５１２及び５１４）から被写体５１０が結像する位置を算出することで、距離Ｂを特定し、さらに距離Ａを特定することができる。つまり、ぼけの大きさ（ぼけ量）が撮像面と結像位置とに比例することを考慮して、結像位置を特定できる。
【００３８】
ここで、撮像面から近い像Ｉ１からレンズＬまでの距離をＤ１とする。像面から遠い像Ｉ２からレンズＬまでの距離をＤ２とする。それぞれの画像はぼけている。このときの点像分布関数（Ｐｏｉｎｔ  Ｓｐｒｅａｄ  Ｆｕｎｃｔｉｏｎ）をＰＳＦ、Ｄ１及びＤ２における画像をそれぞれ、Ｉｄ１及びＩｄ２とする。この場合、例えば、像Ｉ１は、畳み込み演算により次式（３）で表すことができる。
【数３】
2019168555.tif 000005
【００３９】
さらに、画像データＩｄ１及びＩｄ２のフーリエ変換関数をｆとして、画像Ｉｄ１及びＩｄ２の点像分布関数ＰＳＦ１及びＰＳＦ２をフーリエ変換した光学伝達関数（Ｏｐｔｉｃａｌ  Ｔｒａｎｓｆｅｒ  Ｆｕｎｃｔｉｏｎ）をＯＴＦ１及びＯＴＦ２として、次式（４）のように比をとる。
【数４】
2019168555.tif 000006
【００４０】
式（４）に示す値Ｃは、画像Ｉｄ１及びＩｄ２のそれぞれのぼけ量の変化量、つまり、値Ｃは、画像Ｉｄ１のぼけ量と画像Ｉｄ２ｎのぼけ量との差に相当する。
【００４１】
ところで、ユーザが手動でフォーカスレンズを移動させて、所望の被写体に焦点を合わせる場合に、フォーカスレンズのレンズ位置をどのように調節すればよいかを容易に把握できない場合がある。
【００４２】
そこで、本実施形態に係る撮像装置１００によれば、所望の被写体に合焦させるためにフォーカスレンズのレンズ位置をどのように調節すればよいかを容易に把握できるようにする。
【００４３】
図１に示す撮像装置１００において、撮像制御部１１０は、被写体位置特定部１３０、合焦制御部１４０、レンズ位置特定部１４２、信頼度特定部１４４、及び表示制御部１５０を有する。
【００４４】
レンズ位置特定部１４２は、撮像装置１００が備えるフォーカスレンズのレンズ位置を特定する。レンズ位置特定部１４２は、フォーカスレンズの現在のレンズ位置を特定してよい。レンズ位置特定部１４２は、第１特定部の一例である。
【００４５】
被写体位置特定部１３０は、撮像装置１００により撮像される被写体の被写体位置を特定する。被写体位置特定部１３０は、図３に示すレンズＬ（主点）から被写体５１０（物面）までの距離Ａを被写体の被写体位置として特定してよい。合焦制御部１４０は、被写体位置に応じたレンズ位置にフォーカスレンズを移動させることで、被写体に合焦させることができる。
【００４６】
被写体位置特定部１３０は、撮像面とフォーカスレンズとの位置関係が異なる状態で撮像された複数の画像のぼけ量に基づいて被写体が結像する位置を算出することで、距離Ｂを特定し、さらに距離Ａを特定することで、被写体位置を特定してよい。被写体位置特定部１３０は、第２特定部の一例である。
【００４７】
被写体位置特定部１３０は、取得部１３２、算出部１３４、及び予測部１３６を含む。取得部１３２は、撮像面とフォーカスレンズとが第１位置関係にある状態で撮像された第１撮像画像に含まれる第１画像と、撮像面とフォーカスレンズとが第２位置関係にある状態で撮像された第２撮像画像に含まれる第２画像とを取得する。算出部１３４は、第１画像及び第２画像のそれぞれのぼけ量を算出する。予測部１３６は、第１画像及び第２画像のそれぞれのぼけ量に基づいて、被写体位置を予測する。予測部１３６は、第１画像及び第２画像のそれぞれのぼけ量に基づいて、被写体が結像する位置を算出することで、距離Ｂを特定し、さらに距離Ａを特定することで、被写体位置を予測してよい。
【００４８】
表示制御部１５０は、レンズ位置を示す第１オブジェクトと、被写体位置を示す第２オブジェクトとを、レンズ位置と被写体位置との関係に対応する位置関係で表示部１６０に表示させる。表示制御部１５０は、図５に示すような表示バー４００上に、レンズ位置を示す第１オブジェクト４０１と、所望の被写体の被写体位置を示す第２オブジェクト４０２とを、レンズ位置と被写体位置との関係に対応する位置関係で表示してよい。表示制御部１５０は、第１オブジェクト４０１と第２オブジェクト４０２との関係を絶対位置の位置関係で表示部１６０に表示してよい。
【００４９】
ここで、所望の被写体は、撮像装置１００により撮像される画像内の予め定められた領域、例えば中央領域に含まれる被写体、または画像からユーザに選択された領域に含まれる被写体でよい。
【００５０】
表示制御部１５０は、フォーカスレンズのレンズ位置が変化することに応じて第２オブジェクト４０２に対して第１オブジェクト４０１が表示バー４００の長手方向に沿って移動するように、第１オブジェクト４０１及び第２オブジェクト４０２を表示部１６０に表示させてよい。表示制御部１５０は、フォーカスレンズが移動することに応じて、表示バー４００の長手方向に沿って第１オブジェクト４０１が移動するように、表示バー４００上に第１オブジェクト４０１を表示してよい。表示バー４００の長手方向は、第１方向の一例である。例えば、フォーカスレンズが至近端側から無限遠側に移動すると、表示制御部１５０は、表示バー４００上を第１オブジェクト４０１、第１オブジェクト４０１'、第１オブジェクト４０１''のように徐々に表示バー４００の長手方向に移動するように、第１オブジェクト４０１を表示部１６０に表示させる。
【００５１】
第２オブジェクト４０２は、所望の被写体の被写体位置を示すとともに、所望の被写体に合焦させるためのフォーカスレンズのレンズ位置を示している。所望の被写体が撮像装置１００に対して同じ距離に存在していれば、すなわち所望の被写体が撮像装置１００に対して移動していなければ、表示制御部１５０は、表示バー４００上の同じ位置に第２オブジェクト４０２を表示させる。
【００５２】
第１オブジェクト４０１と、第２オブジェクト４０２とが重なると、フォーカスレンズが所望の被写体に合焦するレンズ位置にあることを意味する。例えば、第１オブジェクト４０１が、第１オブジェクト４０１''の位置まで移動するように、フォーカスレンズを移動させると、所望の被写体に合焦させることができる。
【００５３】
図５に示す表示バー４００は、フォーカスレンズのレンズ位置、及び撮像装置１００から被写体までの距離を長手方向の尺度として示してよい。すなわち、表示バー４００上の第１オブジェクト４０１は、フォーカスレンズの現在のレンズ位置が至近端に合焦するレンズ位置から無限遠に合焦するレンズ位置までの間のどのあたりに位置するのかを示してよい。さらに、表示バー４００上の第２オブジェクト４０２は、所望の被写体に合焦させるための予測のレンズ位置を示してよい。
【００５４】
表示制御部１５０は、図６に示すように、第１オブジェクト４０１と第２オブジェクト４０２との関係を相対位置の位置関係で表示部１６０に表示してよい。表示制御部１５０は、フォーカスレンズのレンズ位置と、被写体位置に合焦させるフォーカスレンズのレンズ位置との差に対応する間隔で、第１オブジェクト４０１及び第２オブジェクト４０２を表示部１６０に表示させてよい。表示制御部１５０は、所望の被写体の被写体位置にかかわらず、表示バー４００の中心に第２オブジェクト４０２が位置するように、第２オブジェクト４０２を表示部１６０に表示してよい。フォーカスレンズのレンズ位置が、所望の被写体の被写体位置に対応するレンズ位置に近くなるほど、第１オブジェクト４０１と第２オブジェクト４０２との間の間隔が短くなるように、表示制御部１５０は、第１オブジェクト４０１及び第２オブジェクト４０２を表示部１６０に表示してよい。
【００５５】
信頼度特定部１４４は、被写体位置特定部１３０により特定された被写体の被写体位置の信頼度を特定する。信頼度特定部１４４は、被写体位置特定部１３０により特定された被写体位置の予測確度が高いほど信頼度が大きくなるように、被写体位置の信頼度を特定してよい。信頼度特定部１４４は、撮像装置１００により撮像された画像内の被写体のぼけ量に基づいて、被写体位置の信頼度を特定してよい。信頼度特定部１４４は、例えば、ガウシアン関数を用いた式（１）で算出される画像のぼけ量（Ｃｏｓｔ）に基づいて被写体位置の信頼度を特定してよい。撮像装置１００が、被写体までの距離を測定する測距センサなど比較的確度の高い測距機能を有する場合に、信頼度特定部１４４は、予め定められた最大値を示す信頼度を、被写体の被写体位置の信頼度として特定してもよい。この場合、被写体の被写体位置の信頼度は常に一定でよい。表示制御部１５０は、第１オブジェクト４０１または第２オブジェクト４０２を信頼度に応じた大きさで表示部１６０に表示させてよい。表示制御部１５０は、第２オブジェクト４０２の表示バー４００の幅方向の幅を信頼度に応じた幅で表示部１６０に表示させてよい。表示バー４００の幅方向は、第２方向の一例である。
【００５６】
例えば、図７に示すように、フォーカスレンズが、至近端側のレンズ位置Ｐ１からレンズ位置Ｐ２に移動し、さらに、所望の被写体に合焦する理想レンズ位置であるレンズ位置Ｐ３まで移動する。この場合、ぼけ量（ＣＯＳＴ）がぼけ量Ｃ１からぼけ量Ｃ２に変化し、さらに、ぼけ量Ｃ３まで変化する。ぼけ量（ＣＯＳＴ）が小さいほど被写体位置の予測確度が高いことを示す。表示制御部１５０は、このぼけ量（ＣＯＳＴ）に応じた大きさで第１オブジェクト４０１または第２オブジェクト４０２を表示部１６０に表示させてよい。例えば、表示制御部１５０は、図８に示すように、信頼度が大きいほど、第１オブジェクト４０１が大きくなるように、第１オブジェクト４０１を表示部１６０に表示してよい。フォーカスレンズのレンズ位置が、所望の被写体に合焦する理想レンズ位置に近づくほど、被写体位置の信頼度は高くなるので、表示制御部１５０は、フォーカスレンズのレンズ位置が、理想レンズ位置に近いほど、第１オブジェクト４０１が大きくなるように、第１オブジェクト４０１を表示部１６０に表示してよい。表示制御部１５０は、図９に示すように、信頼度が大きいほど、第１オブジェクト４０１が小さくなるように、第１オブジェクト４０１を表示部１６０に表示してよい。
【００５７】
表示制御部１５０は、信頼度に応じた大きさで第２オブジェクト４０２を表示部１６０に表示させてよい。表示制御部１５０は、図１０に示すように、被写体位置の信頼度が大きくなるほど、第２オブジェクト４０２の大きさが小さくなるように、第２オブジェクト４０２を表示部１６０に表示してよい。表示制御部１５０は、フォーカスレンズが所望の被写体に合焦する理想レンズ位置に近づくほど、フォーカスレンズのレンズ位置を示す第１オブジェクト４０１が、理想レンズ位置（被写体位置）を示す第２オブジェクト４０２に近づくように、第１オブジェクト４０１を表示部１６０に表示してよい。表示制御部１５０は、被写体位置の信頼度が大きくなるほど、第２オブジェクト４０２の大きさが大きくなるように、第２オブジェクト４０２を表示部１６０に表示してよい。
【００５８】
被写体位置特定部１３０は、被写体の被写体位置の範囲を特定してよい。表示制御部１５０は、第２オブジェクト４０２の表示バー４００の長手方向の幅を被写体位置の範囲に対応する幅で、表示部１６０に表示させてよい。被写体位置特定部１３０が、画像のぼけ量に基づいて特定する被写体位置は、理想レンズ位置と、現在のレンズ位置との差が大きいほど、確度が低い。すなわち、理想レンズ位置と、現在のレンズ位置との差が大きいほど、所望の被写体に合焦すると予測されるレンズ位置には幅がある。表示制御部１５０は、この幅を考慮して、第２オブジェクト４０２を表示部１６０に表示してよい。さらに、１５０は、第２オブジェクト４０２の表示バー４００の幅方向の幅を信頼度に応じた幅で表示部１６０に表示させてよい。
【００５９】
表示制御部１５０は、図１１Ａ、図１１Ｂ、及び図１１Ｃに示すように、フォーカスレンズのレンズ位置が、被写体位置に対応する理想レンズ位置から遠いほど、第２オブジェクト４０２の表示バー４００の長手方向の幅が大きく、表示バー４００の幅方向の幅が小さくなるように、第２オブジェクト４０２を表示部１６０に表示させてよい。図１１Ａ、図１１Ｂ、及び図１１Ｃに示すように、フォーカスレンズのレンズ位置が、被写体位置に対応する理想レンズ位置に近づくほど、被写体位置の確度が高くなり、被写体位置の範囲も狭くなる。
【００６０】
被写体位置特定部１３０は、撮像装置１００により撮像される複数の被写体の複数の被写体位置を特定してもよい。表示制御部１５０は、複数の被写体位置を示す複数の第２オブジェクトを、フォーカスレンズのレンズ位置と複数の被写体位置との関係に対応する位置関係で表示部１６０に表示させてよい。
【００６１】
図１２Ａ、図１２Ｂ、及び図１２Ｃは、３つの被写体に対応する第２オブジェクト４０２、４０３、及び４０４が表示バー４００上に表示された例を示す。表示制御部１５０は、フォーカスレンズのレンズ位置との差が少ない理想レンズ位置に対応する被写体位置にある第２オブジェクトほど、表示バー４００の長手方向の幅が小さく、表示バー４００の幅方向の幅が大きくなるように、それぞれの第２オブジェクト４０２、４０３、及び４０４を表示部１６０に表示してよい。
【００６２】
以上の通り、本実施形態によれば、表示制御部１５０が、レンズ位置を示す第１オブジェクトと、被写体位置を示す第２オブジェクトとを、レンズ位置と被写体位置との関係に対応する位置関係で表示部１６０に表示させる。これにより、所望の被写体に合焦させるためにフォーカスレンズのレンズ位置をどのように調節すればよいかを容易に把握できる。ユーザは、レンズ位置を示す第１オブジェクトと、被写体位置を示す第２オブジェクトとの位置関係を表示部１６０で確認することで、フォーカスレンズをどの方向（至近端側または無限遠側）にどれだけ移動させるかを視覚的に容易に把握することができる。
【００６３】
図１３は、撮像装置１００の外観斜視図の一例を示す。図１４は、撮像装置１００の背面図の一例を示す図である。例えば、表示バー４００は、筐体６００の外面に設けられた表示パネル６０１または表示パネル６０２に表示されてよい。表示バー４００は、レンズ鏡筒６１０の外周面に設けられた表示パネル６１２に表示されてよい。表示バー４００は、撮像装置１００の筐体６００の背面に設けられた液晶パネル６０４に表示されてよい。表示バー４００は、撮像装置１００のファインダ６０５に表示されてよい。例えば、図１５に示すように、表示バー４００は、ファインダ６０５の下部に表示されてよい。
【００６４】
表示バー４００は、図１６に示すように、カメラ機能を有するスマートフォン７００の画面７０２上に表示されてもよい。
【００６５】
図１７は、本発明の複数の態様が全体的または部分的に具現化されてよいコンピュータ１２００の一例を示す。コンピュータ１２００にインストールされたプログラムは、コンピュータ１２００に、本発明の実施形態に係る装置に関連付けられるオペレーションまたは当該装置の１または複数の「部」として機能させることができる。または、当該プログラムは、コンピュータ１２００に当該オペレーションまたは当該１または複数の「部」を実行させることができる。当該プログラムは、コンピュータ１２００に、本発明の実施形態に係るプロセスまたは当該プロセスの段階を実行させることができる。そのようなプログラムは、コンピュータ１２００に、本明細書に記載のフローチャート及びブロック図のブロックのうちのいくつかまたはすべてに関連付けられた特定のオペレーションを実行させるべく、ＣＰＵ１２１２によって実行されてよい。
【００６６】
本実施形態によるコンピュータ１２００は、ＣＰＵ１２１２、及びＲＡＭ１２１４を含み、それらはホストコントローラ１２１０によって相互に接続されている。コンピュータ１２００はまた、通信インタフェース１２２２、入力／出力ユニットを含み、それらは入力／出力コントローラ１２２０を介してホストコントローラ１２１０に接続されている。コンピュータ１２００はまた、ＲＯＭ１２３０を含む。ＣＰＵ１２１２は、ＲＯＭ１２３０及びＲＡＭ１２１４内に格納されたプログラムに従い動作し、それにより各ユニットを制御する。
【００６７】
通信インタフェース１２２２は、ネットワークを介して他の電子デバイスと通信する。ハードディスクドライブが、コンピュータ１２００内のＣＰＵ１２１２によって使用されるプログラム及びデータを格納してよい。ＲＯＭ１２３０はその中に、アクティブ化時にコンピュータ１２００によって実行されるブートプログラム等、及び／またはコンピュータ１２００のハードウェアに依存するプログラムを格納する。プログラムが、ＣＲ−ＲＯＭ、ＵＳＢメモリまたはＩＣカードのようなコンピュータ可読記録媒体またはネットワークを介して提供される。プログラムは、コンピュータ可読記録媒体の例でもあるＲＡＭ１２１４、またはＲＯＭ１２３０にインストールされ、ＣＰＵ１２１２によって実行される。これらのプログラム内に記述される情報処理は、コンピュータ１２００に読み取られ、プログラムと、上記様々なタイプのハードウェアリソースとの間の連携をもたらす。装置または方法が、コンピュータ１２００の使用に従い情報のオペレーションまたは処理を実現することによって構成されてよい。
【００６８】
例えば、通信がコンピュータ１２００及び外部デバイス間で実行される場合、ＣＰＵ１２１２は、ＲＡＭ１２１４にロードされた通信プログラムを実行し、通信プログラムに記述された処理に基づいて、通信インタフェース１２２２に対し、通信処理を命令してよい。通信インタフェース１２２２は、ＣＰＵ１２１２の制御の下、ＲＡＭ１２１４、またはＵＳＢメモリのような記録媒体内に提供される送信バッファ領域に格納された送信データを読み取り、読み取られた送信データをネットワークに送信し、またはネットワークから受信した受信データを記録媒体上に提供される受信バッファ領域等に書き込む。
【００６９】
また、ＣＰＵ１２１２は、ＵＳＢメモリ等のような外部記録媒体に格納されたファイルまたはデータベースの全部または必要な部分がＲＡＭ１２１４に読み取られるようにし、ＲＡＭ１２１４上のデータに対し様々なタイプの処理を実行してよい。ＣＰＵ１２１２は次に、処理されたデータを外部記録媒体にライトバックしてよい。
【００７０】
様々なタイプのプログラム、データ、テーブル、及びデータベースのような様々なタイプの情報が記録媒体に格納され、情報処理を受けてよい。ＣＰＵ１２１２は、ＲＡＭ１２１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ１２１４に対しライトバックする。また、ＣＰＵ１２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ１２１２は、第１の属性の属性値が指定される、条件に一致するエントリを当該複数のエントリの中から検索し、当該エントリ内に格納された第２の属性の属性値を読み取り、それにより予め定められた条件を満たす第１の属性に関連付けられた第２の属性の属性値を取得してよい。
【００７１】
上で説明したプログラムまたはソフトウェアモジュールは、コンピュータ１２００上またはコンピュータ１２００近傍のコンピュータ可読記憶媒体に格納されてよい。また、専用通信ネットワークまたはインターネットに接続されたサーバーシステム内に提供されるハードディスクまたはＲＡＭのような記録媒体が、コンピュータ可読記憶媒体として使用可能であり、それによりプログラムを、ネットワークを介してコンピュータ１２００に提供する。
【００７２】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【００７３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００７４】
１００  撮像装置
１０２  撮像部
１１０  撮像制御部
１２０  イメージセンサ
１３０  被写体位置特定部
１３２  取得部
１３４  算出部
１３６  予測部
１４０  合焦制御部
１４２  レンズ位置特定部
１４４  信頼度特定部
１５０  表示制御部
１６０  表示部
１６２  操作部
１７０  メモリ
２００  レンズ部
２１０  レンズ
２１２  レンズ移動機構
２２０  レンズ制御部
４００  表示バー
４０１  第１オブジェクト
４０２  第２オブジェクト
６００  筐体
６０１，６０２  表示パネル
６０４  液晶パネル
６０５  ファインダ
６１０  レンズ鏡筒
６１２  表示パネル
７００  スマートフォン
７０２  画面
１２００  コンピュータ
１２１０  ホストコントローラ
１２１２  ＣＰＵ
１２１４  ＲＡＭ
１２２０  入力／出力コントローラ
１２２２  通信インタフェース
１２３０  ＲＯＭ
【図１】
2019168555.tif 000007
【図２】
2019168555.tif 000008
【図３】
2019168555.tif 000009
【図４】
2019168555.tif 000010
【図５】
2019168555.tif 000011
【図６】
2019168555.tif 000012
【図７】
2019168555.tif 000013
【図８】
2019168555.tif 000014
【図９】
2019168555.tif 000015
【図１０】
2019168555.tif 000016
【図１１Ａ】
2019168555.tif 000017
【図１１Ｂ】
2019168555.tif 000018
【図１１Ｃ】
2019168555.tif 000019
【図１２Ａ】
2019168555.tif 000020
【図１２Ｂ】
2019168555.tif 000021
【図１２Ｃ】
2019168555.tif 000022
【図１３】
2019168555.tif 000023
【図１４】
2019168555.tif 000024
【図１５】
2019168555.tif 000025
【図１６】
2019168555.tif 000026
【図１７】
2019168555.tif 000027
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
撮像装置が備えるフォーカスレンズのレンズ位置を特定する第１特定部と、
前記撮像装置により撮像される被写体の被写体位置の範囲を特定する第２特定部と、
前記レンズ位置が変化することに応じて前記被写体位置の信頼度を特定する第３特定部と、
前記レンズ位置を示す第１オブジェクトと、前記被写体位置を示す第２オブジェクトとを、前記レンズ位置と前記被写体位置との関係に対応する位置関係で表示部に表示させる表示制御部と
を備え、
前記表示制御部は、前記レンズ位置が変化することに応じて前記第２オブジェクトに対して前記第１オブジェクトが第１の方向に沿って移動するように、前記第１オブジェクトと、前記第１方向の幅が前記被写体位置の範囲に対応する幅で、第２方向の幅が前記信頼度に応じた幅を有する前記第２オブジェクトとを前記表示部に表示させる、
表示制御装置。
【請求項２】
前記第２特定部は、前記レンズ位置が変化することに応じて前記被写体の被写体位置の範囲を特定する、請求項１に記載の表示制御装置。
【請求項３】
撮像装置が備えるフォーカスレンズのレンズ位置を特定する第１特定部と、
前記撮像装置により撮像される被写体の被写体位置を特定する第２特定部と、
前記レンズ位置が変化することに応じて前記被写体位置の信頼度を特定する第３特定部と、
前記レンズ位置を示す第１オブジェクトと、前記被写体位置を示す第２オブジェクトとを、前記レンズ位置と前記被写体位置との関係に対応する位置関係で表示部に表示させる表示制御部と
を備え、
前記表示制御部は、前記第１オブジェクトまたは前記第２オブジェクトを前記信頼度に応じた大きさで前記表示部に表示させる、表示制御装置。
【請求項４】
前記第３特定部は、前記撮像装置により撮像された画像内の前記被写体のぼけ量に基づいて、前記被写体位置の信頼度を特定する、請求項１から３の何れか１つに記載の表示制御装置。
【請求項５】
前記表示制御部は、前記レンズ位置と、前記被写体位置に合焦させる前記フォーカスレンズのレンズ位置との差に対応する間隔で、前記第１オブジェクト及び前記第２オブジェクトを前記表示部に表示させる、請求項１から４の何れか１つに記載の表示制御装置。
【請求項６】
前記表示制御部は、前記差が変化することに応じて、前記第２オブジェクトに対して前記第１オブジェクトが移動するように、前記第１オブジェクト及び前記第２オブジェクトを前記表示部に表示させる、請求項５に記載の表示制御装置。
【請求項７】
前記第２特定部は、
前記撮像装置の撮像面と前記フォーカスレンズとが第１位置関係にある状態で撮像された第１撮像画像に含まれる第１画像と、前記撮像面と前記フォーカスレンズとが第２位置関係にある状態で撮像された第２撮像画像に含まれる第２画像とを取得する取得部と、
前記第１画像及び前記第２画像のそれぞれのぼけ量を算出する算出部と、
前記第１画像及び前記第２画像のそれぞれのぼけ量に基づいて、前記被写体位置を予測する予測部と
を有する、請求項１から６の何れか１つに記載の表示制御装置。
【請求項８】
前記第２特定部は、前記撮像装置により撮像される複数の前記被写体の複数の前記被写体位置をさらに特定し、
前記表示制御部は、前記複数の被写体位置を示す複数の前記第２オブジェクトを、前記レンズ位置と前記複数の被写体位置との関係に対応する位置関係で前記表示部にさらに表示させる、請求項１から７の何れか１つに記載の表示制御装置。
【請求項９】
請求項１から８の何れか１つに記載の表示制御装置と、
前記フォーカスレンズと、
前記フォーカスレンズを介して結像する光学像を電気信号に変換するイメージセンサと、
前記表示部と、
を備える撮像装置。
【請求項１０】
請求項９に記載の撮像装置を備えるスマートフォン。
【請求項１１】
撮像装置が備えるフォーカスレンズのレンズ位置を特定する段階と、
前記撮像装置により撮像される被写体の被写体位置の範囲を特定する段階と、
前記レンズ位置が変化することに応じて前記被写体位置の信頼度を特定する段階と、
前記レンズ位置を示す第１オブジェクトと、前記被写体位置を示す第２オブジェクトとを、前記レンズ位置と前記被写体位置との関係に対応する位置関係で表示部に表示させる段階と
を備え、
前記表示部に表示させる段階は、前記レンズ位置が変化することに応じて前記第２オブジェクトに対して前記第１オブジェクトが第１の方向に沿って移動するように、前記第１オブジェクトと、前記第１方向の幅が前記被写体位置の範囲に対応する幅で、第２方向の幅が前記信頼度に応じた幅を有する前記第２オブジェクトとを前記表示部に表示させる段階を含む、表示制御方法。
【請求項１２】
撮像装置が備えるフォーカスレンズのレンズ位置を特定する段階と、
前記撮像装置により撮像される被写体の被写体位置を特定する段階と、
前記レンズ位置が変化することに応じて前記被写体位置の信頼度を特定する段階と、
前記レンズ位置を示す第１オブジェクトと、前記被写体位置を示す第２オブジェクトとを、前記レンズ位置と前記被写体位置との関係に対応する位置関係で表示部に表示させる段階と
を備え、
前記表示部に表示させる段階は、前記第１オブジェクトまたは前記第２オブジェクトを前記信頼度に応じた大きさで前記表示部に表示させる段階を含む、表示制御方法。
【請求項１３】
請求項１から８の何れか１つに記載の表示制御装置としてコンピュータを機能させるためのプログラム。